(57)【要約】【課題】シール性能を高め得る燃料電池用金属セパレータ、および燃料電池スタックを提供する。【解決手段】燃料電池用金属セパレータ３０は、金属製基材４１と、金属製基材に設けられ流路溝４２が形成された流路部４３と、金属製基材の外周縁に設けられ流路部に対して屈曲した屈曲部４４と、を有している。屈曲部は、スタック時に隣り合う他の屈曲部と接触する。この燃料電池用金属セパレータを含む燃料電池スタック１は、接触し合う屈曲部同士の間を密閉する密閉手段５０を有している。【選択図】図５
2008078050.tif 000002
【特許請求の範囲】
【請求項１】
金属製基材と、
前記金属製基材に設けられ流路溝が形成された流路部と、
前記金属製基材の外周縁に設けられ前記流路部に対して屈曲した屈曲部と、を有し、
前記屈曲部は、スタック時に隣り合う他の屈曲部と接触してなる燃料電池用金属セパレータ。
【請求項２】
請求項１に記載の燃料電池用金属セパレータを含む燃料電池スタックであって、
接触し合う前記屈曲部同士の間を密閉する密閉手段を有してなる燃料電池スタック。
【請求項３】
前記密閉手段は、接触し合う前記屈曲部同士を前記燃料電池用金属セパレータ外部から樹脂材料によりモールドしてなる樹脂モールド部から構成されていることを特徴とする請求項２に記載の燃料電池スタック。
【請求項４】
前記密閉手段は、接触し合う前記屈曲部のそれぞれに連続する部位同士の間の空隙に配置されるシール部材から構成されていることを特徴とする請求項２に記載の燃料電池スタック。
【請求項５】
前記密閉手段は、接触し合う前記屈曲部同士の間に配置されるシール部材から構成されていることを特徴とする請求項２に記載の燃料電池スタック。
【請求項６】
前記密閉手段は、接触し合う前記屈曲部同士を溶接またはかしめにより接合してなる接合部から構成されていることを特徴とする請求項２に記載の燃料電池スタック。
【発明の詳細な説明】
【技術分野】
【０００１】
本発明は、燃料電池用金属セパレータ、および燃料電池スタックに関する。
【背景技術】
【０００２】
燃料電池スタックのセパレータとして、金属製の基材を適用した金属セパレータが使用されている（特許文献１参照）。燃料電池用金属セパレータは、金属製基材としての例えばステンレス鋼をプレス成形することにより、形成されている。特許文献１に開示されている燃料電池用金属セパレータは、断面が皿形状を有している。
【特許文献１】特開２００３−３１７７４３号公報
【発明の開示】
【発明が解決しようとする課題】
【０００３】
しかしながら、金属製基材の板厚は薄肉であるので、燃料電池用金属セパレータの全体にソリが生じたり、燃料電池用金属セパレータの外周部分にウネリが生じたりすることがあり、その際には矯正が必要となる。ソリやウネリなどの歪みが生じた燃料電池用金属セパレータは、矯正が十分でないと、燃料電池スタックを構成したときに、シール性能の低下を招いてしまう。
【０００４】
本発明の目的は、シール性能を高め得る燃料電池用金属セパレータ、および燃料電池スタックを提供することにある。
【課題を解決するための手段】
【０００５】
上記目的を達成する請求項１に記載の本発明は、金属製基材と、
前記金属製基材に設けられ流路が形成された流路部と、
前記金属製基材の外周縁に設けられ前記流路部に対して屈曲した屈曲部と、を有し、
前記屈曲部は、スタック時に隣り合う他の屈曲部と接触してなる燃料電池用金属セパレータである。
【０００６】
また、上記目的を達成する請求項２に記載の本発明は、請求項１に記載の燃料電池用金属セパレータを含む燃料電池スタックであって、
接触し合う前記屈曲部同士の間を密閉する密閉手段を有してなる燃料電池スタックである。
【発明の効果】
【０００７】
本発明によれば、シール性能を高め得る燃料電池用金属セパレータ、および燃料電池スタックを提供できる。
【発明を実施するための最良の形態】
【０００８】
以下、図面を参照して、本発明の実施の形態を説明する。なお、理解を容易にするために、図面には各構成要素が誇張して示されている。
【０００９】
図１は、燃料電池用金属セパレータを用いて構成した燃料電池スタック１を示す斜視図、図２は、燃料電池スタック１の積層構造の一部を示す要部拡大断面図、図３（Ａ）は、本発明の実施の形態に係る燃料電池用金属セパレータを示す斜視図、図３（Ｂ）は、対比例に係る燃料電池用金属セパレータを示す斜視図である。図４は、図３（Ａ）の４−４線に沿う断面図である。
【００１０】
図１を参照して、燃料電池スタック１は、燃料ガス（水素）と酸化剤ガス（酸素）との反応により起電力を生じる単セル２を所定数だけ積層した積層体３を有している。積層体３の両端のそれぞれに、集電板４、絶縁板５およびエンドプレート６を配置し、これらを、タイロッドボルト７により締結することによって、燃料電池スタック１を構成する。燃料電池スタック１内部において燃料ガス、酸化剤ガス、および冷却水のそれぞれを流通させるために、一方のエンドプレート６に、燃料ガス導入口８、燃料ガス排出口９、酸化剤ガス導入口１０、酸化剤ガス排出口１１、冷却水導入口１２、および冷却水排出口１３を形成している。
【００１１】
図２を参照して、単セル２は、膜電極接合体２０と、膜電極接合体２０の両面のそれぞれに配置される燃料電池用金属セパレータ３０（以下、単に「金属セパレータ３０」ともいう）とから構成されている。
【００１２】
膜電極接合体２０は、固体高分子電解質膜２１と、固体高分子電解質膜２１の両面のうち一方の面に設けられる燃料極２２と、固体高分子電解質膜２１の他方の面に設けられる空気極２３とを有し、固体高分子電解質膜２１を、その両側から、燃料極２２と空気極２３とによって挟み込んだ積層構造を有している。固体高分子電解質膜２１としては、スルホン酸基を有するパーフルオロカーボン重合体膜（商品名；ナフイオン１１２８（登録商標）、デュポン株式会社）などを使用することができる。燃料極２２および空気極２３のそれぞれは、触媒層およびガス拡散層を含んでいる。
【００１３】
金属セパレータ３０は、流路溝を形成するために、凹凸形状を有している。膜電極接合体２０の両面のそれぞれに金属セパレータ３０を配置することにより、燃料ガスを流通させるための燃料ガス流路３１、酸化剤ガスを流通させるための酸化剤ガス流路３２、および冷却水を流通させるための冷却水流路３３を形成している。燃料ガスは、燃料ガス導入口８から導入され、金属セパレータ３０の燃料ガス流路３１を流れ、燃料ガス排出口９から排出される。酸化剤ガスは、酸化剤ガス導入口１０から導入され、金属セパレータ３０の酸化剤ガス流路３２を流れ、酸化剤ガス排出口１１から排出される。冷却水は、冷却水導入口１２から導入され、金属セパレータ３０の冷却水流路３３を流れ、冷却水排出口１３から排出される。
【００１４】
金属セパレータ３０の板厚は、薄肉（例えば、０．２ｍｍ以下）である。このように金属セパレータ３０を薄肉に形成する理由は、電気抵抗をできるだけ小さくし、燃料電池の性能評価の１つの指標である出力密度（「起電力／単位容積」と定義される）を高めるためである。
【００１５】
図３（Ａ）および図４を参照して、本実施形態に係る金属セパレータ３０は、金属製基材４１と、金属製基材４１に設けられ流路溝４２が形成された流路部４３と、金属製基材４１の外周縁に設けられ流路部４３に対して屈曲した屈曲部４４と、を有している。一の金属セパレータ３０における屈曲部４４は、スタック時に隣り合う金属セパレータ３０における他の屈曲部４４と接触する。金属製基材４１としては、例えば、ステンレス鋼が用いられる。なお、図３（Ａ）中符号４５、４６、４７は、それぞれ、金属製基材４１を貫通して形成され、燃料ガス、酸化剤ガス、冷却水を流すためのマニホールド穴を示している。
【００１６】
図３（Ｂ）を参照して、金属製基材４１の板厚が薄肉であることから、屈曲部４４を形成しない対比例にあっては、金属セパレータ３０ａの全体にソリが生じたり、金属セパレータ３０ａの外周部分にウネリが生じたりすることがあり、その際には矯正が必要となる。ソリやウネリなどの歪みが生じた金属セパレータ３０ａは、矯正が十分でないと、燃料電池スタックを構成したときに、シール性能が低下する。
【００１７】
このような不具合の発生を抑えるため、本実施形態では、金属セパレータ３０のそれぞれに関して、金属製基材４１の外周縁に、相互に接触する屈曲部４４を設けてある。流路部４３および屈曲部４４は、プレス装置によるプレス加工によって形成される。流路部４３をプレス加工により形成した後に、屈曲部４４がプレス加工により形成される。ソリやウネリなどの生じていた歪みは、屈曲部４４を形成するためのプレス加工の際に矯正される。なお、流路部４３および屈曲部４４の両者をプレス加工により同時に形成してもよい。
【００１８】
屈曲部４４を設けることにより、金属セパレータ３０の剛性が得られ、ソリやウネリなどの歪みがなくなる。したがって、金属セパレータ３０を用いて燃料電池スタック１を構成する場合に、シール性能を高めることができる。しかも、スタック時に隣り合う屈曲部４４同士が接触するため、屈曲部４４をスタック時の位置決め部材として使用することができ、燃料電池スタック１を容易に組み立てることができる。また、屈曲部４４同士が接触するため、スタック後に、燃料電池スタック１の構成要素に位置ズレが生じることを防止できる。
【００１９】
シール性能を高めるために、本実施形態の燃料電池スタック１は、上述した金属セパレータ３０を含む燃料電池スタック１であって、接触し合う屈曲部４４同士の間を密閉する密閉手段５０を有している。密閉手段５０によって、燃料極２２側の金属セパレータ３０と空気極２３側の金属セパレータ３０との間のシール性ないし気密性を確保することができる。
【００２０】
図５（Ａ）（Ｂ）および図６（Ａ）（Ｂ）は、密閉手段５０の構成例を示す図である。
【００２１】
図５（Ａ）を参照して、密閉手段５０は、接触し合う屈曲部４４同士を金属セパレータ３０外部から樹脂材料によりモールドしてなる樹脂モールド部５１から構成されている。
【００２２】
図５（Ｂ）を参照して、密閉手段５０は、接触し合う屈曲部４４のそれぞれに連続する部位同士の間の空隙Ｓに配置されるシール部材５２から構成されている。シール部材５２は、ゴムなどの弾性体から形成される。
【００２３】
図６（Ａ）を参照して、密閉手段５０は、接触し合う屈曲部４４同士の間に配置されるシール部材５３から構成されている。この場合のシール部材５３は、フィルム状であることが好ましく、接着剤などを塗布することによって形成される
図６（Ｂ）を参照して、密閉手段５０は、接触し合う屈曲部４４同士を溶接により接合してなる接合部５４から構成されている。接合部５４は、溶接に限られるものではなく、かしめによって接合してもよい。
【００２４】
上述した種々の密閉手段５０は単独で用いても良いし、組み合わせて用いても良い。シール性能がより一層高まるからである。例えば、図６（Ａ）に示したように屈曲部４４同士の間にシール部材５３を配置したうえに、かしめによる接合部を形成してもよい。
【図面の簡単な説明】
【００２５】
【図１】燃料電池用金属セパレータを用いて構成した燃料電池スタックを示す斜視図である。
【図２】燃料電池スタックの積層構造の一部を示す要部拡大断面図である。
【図３】図３（Ａ）は、本発明の実施の形態に係る燃料電池用金属セパレータを示す斜視図、図３（Ｂ）は、対比例に係る燃料電池用金属セパレータを示す斜視図である。
【図４】図３（Ａ）の４−４線に沿う断面図である。
【図５】図５（Ａ）（Ｂ）は、燃料電池スタックにおける密閉手段の構成例を示す図である。
【図６】図６（Ａ）（Ｂ）は、燃料電池スタックにおける密閉手段の構成例を示す図である。
【符号の説明】
【００２６】
１      燃料電池スタック、
２０    膜電極接合体、
３０    燃料電池用金属セパレータ、
４１    金属製基材、
４２    流路溝、
４３    流路部、
４４    屈曲部、
５０    密閉手段、
５１    樹脂モールド部、
５２、５３    シール部材、
５４    接合部、
Ｓ      空隙。
【図１】
2008078050.tif 000003
【図２】
2008078050.tif 000004
【図３】
2008078050.tif 000005
【図４】
2008078050.tif 000006
【図５】
2008078050.tif 000007
【図６】
2008078050.tif 000008